(57)【要約】【課題】簡単な構造の電気掃除機を提供する。【解決手段】柄部１及び掃除機本体２で構成され、掃除機本体２は、本体カバー３、駆動室４、第１ブラシ部５、第２ブラシ部６、運搬部７、集塵室８及び電源部９から構成され、該駆動室４のモーターにより、伝動機構を駆動して、伝動機構は側面に配置された3つの動力軸を介して第１ブラシ部５、第2ブラシ部６及び運搬部７を駆動し、水平に回転する第1ブラシ部が掃き出した塵埃を床に平行な軸周りに回転する第2ブラシ部が後方に送り、更にこれらと垂直な軸の周りに回転する運搬部によって、これらの掃き出し、後送された塵埃を後方の集塵室に送り込む。【選択図】  図２
0003117313.tif 000002
【実用新案登録請求の範囲】
【請求項１】
本体カバー、駆動室、第一ブラシ部、第二ブラシ部、運搬部、集塵室より構成され、
該本体カバーは、上カバー部及び下カバー部から構成され、該上カバー部は柄部と接続されてなり、
該駆動室は、前記本体カバー内側部に位置して、歯車室及びモーター部から構成され、該モーター部はベルトを介して歯車室外側にあるベルトリングを駆動し、該ベルトリングは歯車室内部の各歯車を駆動してこれら歯車の回転軸端に設けられた第１、２、３軸受を回転駆動し、
また前記の下カバー部内側には該第１、２軸受に対向する位置に枢軸体が配置されると共にこの枢軸体には二つの枢軸を設けてなり、
該第１ブラシ部は、前記本体カバー内側部に位置してヘッドを備え、該ヘッドは放射状に植設した刷毛を設け、該ヘッドは底部から下カバー部内側部を挿通する回転軸に固定されて、該回転軸から軸カバー、傘歯車部を介して第１軸受に噛合わされてなり、
該第２ブラシ部は、前記本体カバー内部に位置して円筒状のブラシ筒及び前記ブラシ筒を狭持する狭持体から構成され、狭持体両端部は第２軸受及び前記枢軸体の枢軸と接続されてなり、
該運搬部は、軸周りに複数の扇状の翼が突設された筒軸体からなり、該筒軸体の両端部は第３軸受及び枢軸体に接続され、
該集塵室は、本体カバーの下カバー部内側部また運搬部の後方に位置すると共に蓋を設けてなり、
モーターにより駆動される第1ブラシ部、第２ブラシ部及び運搬部により順次掃き集められた塵埃が集塵室に送りこまれることにより床面上を清掃するように構成したことを特徴とする、電気掃除機。
【請求項２】
前記上カバー部内側部には取付部を設けてなり、第１ブラシ部を支持していることを特徴とした、請求項１に記載の電気掃除機。
【請求項３】
前記下カバー部外側底部には複数の車輪を設けてなることを特徴とした、請求項１に記載の電気掃除機。
【請求項４】
前記モーター部は、モーターから構成されることを特徴とした、請求項１に記載の電気掃除機。
【請求項５】
前記ブラシ筒は、複数のブラシ体から構成され、各ブラシは放射状に形成されてなることを特徴とした、請求項１に記載の電気掃除機。
【請求項６】
前記挟持体は、上狭持体と下狭持体から構成され、ブラシ体を貫通する空間を設けてなることを特徴とした、請求項１に記載の電気掃除機。
【請求項７】
前記第２ブラシ部は、複数の筒体と交換可能とし、並びに各筒体上に面ファスナーを設けてなり、該面ファスナーは使用者が布片を固定し、床面を拭くのに利用されることを特徴とした、請求項１に記載の電気掃除機。
【考案の詳細な説明】
【技術分野】
【０００１】
本考案は、電気掃除機の構造に関し、特に使用者が任意に推し動かして使用でき、自動的に床面の塵埃を清掃できる電気掃除機構造に関する。
【背景技術】
【０００２】
大掃除若しくは掃除する時、箒を持って床面を掃除しているが、床面の塵埃を集めた後、その集めた塵埃を塵取にとり、それをゴミ箱へ捨てていたが、しかし、このような掃除作業は、度々床面の塵埃を空中に舞い上がらせ、人々はそれを吸い、人体に悪影響を及ぼしていた。
そこで、これらの用途に適した掃除機として、柄部が設けられており、柄部の先端に本体が接続してあり、この本体のカバーの内側部には床面と接する車輪が具えており、掃除機本体の車輪を推して床面を清掃している時、該車輪が回転している動力を内部の歯車に伝動し回転させ、歯車が回転している間、掃除機本体全てのブラシ部が床面の塵埃に対して清掃を行っていた。
上述は、人が車輪を押す力を利用し、床面を転がりながら動力を生産し掃除機を動かして床面を掃除するものであるが、車輪の表面に付く塵埃、若しくは車輪が壊れた時、車輪が床面でうまく回転せず、車輪が掃除機本体内部の歯車へ伝動する動力を得られず、掃除機が清掃作業を行えないという事態に至っていた。
【特許文献１】特許３４６１６１８号公報
【考案の開示】
【考案が解決しようとする課題】
【０００３】
本考案の目的は、上述に存在する問題を解決し、問題を解消するため、掃除機構造を新たに設計し直し、掃除機構造を電力伝動で、自動的に床面の塵埃を清掃できる構造を提供することである。
【課題を解決するための手段】
【０００４】
上記の課題を解決するために、本考案の電気掃除機構造は、柄部及び掃除機本体で構成されており、前述の掃除機本体には、本体カバー、駆動室、第１ブラシ部、第２ブラシ部、運搬部、集塵室及び電源部から構成される装置である。
【考案の効果】
【０００５】
使用者が使用時に、該電源が伝動機能に電力を提供し、伝動機を回転させ、同時に、伝動機構はいくつかの動力輸出軸に提供し、このいくつかの動力輸出軸は前記の第１，２ブラシ部及び運搬部の回転を駆動させて、床面の塵埃を自動的に清掃し、清掃後の塵埃は集塵室内部に集塵され、使用者に心地よい清掃を提供することができる。
【考案を実施するための最良の形態】
【０００６】
図１は本考案の電気掃除機構造を示す外観立体図である。本考案の電気掃除機構造は、主に柄部１及び掃除機本体２とから構成されている。使用者が柄部１を把持して掃除機本体を推している時、該掃除機本体２は床面の塵埃を掃除機本体２内部に清掃し、掃除機本体２は自動的に塵埃を集塵することができる。上述の柄部１は複数の柄体１１ａ、１１ｂ、１１ｃから成り、並びに上述の１１ｃ内部には伸縮可能な伸縮管１１ｄを具えており、柄体１１ｂ先端の調節部１２を回転させることにより、柄体１１ｂを引き伸ばし、柄部１の長さを調節することができる。更に、上述の柄体１１ｂ先端には回転接続部１３が接続されており、この回転接続部１３と掃除機本体２を接続した後、掃除機本体２を転向自在な操作ができ、また、上述の柄体１１ａには、使用者が握るグリップ１４が接続してあり、掃除機本体２を推し動かす把持部を提供する。
図２は、本考案の掃除機本体の立体分解図である。上述の掃除機本体２は、本体カバー３、駆動室４、第１ブラシ部５、第２ブラシ部６、運搬部７、集塵部８及び電源部９から構成され、上述の本体カバー３は上カバー部３１及び下カバー部３２から成り、該上カバー部３１は上述の回転接続部１３と接続されている以外に、上カバー部内側部に電源スイッチ３１１が設けられており、該電源スイッチ３１１は上カバー部３１にあるスプリング３１２に対応し、スプリング３１２上のボタン３１３を押して電源スイッチ３１１を操作して電源を入力し、また、スプリング３１２によりボタンを元の位置に復帰する。  上カバー部３１内側部に位置する取付部３１４が第１ブラシ部５を支えており、上述の下カバー部３２外側部底部の複数の車輪３２１により、掃除機本体２による清掃時の移動の便を図る。更に、上述の上カバー部３１と下カバー部３２の間にはバンパー３３が設けられている。
【０００７】
図３は、図２の駆動室４を示す立体図である。該駆動室４は、歯車室４１及びモーター部４２から構成され、上述のモーター部４２は、ベルト４３を介して歯車室４１外側部のベルトリング４１１を駆動し、ベルトリング４１１は歯車室４１内部の各歯車に伝動して駆動し、同時に歯車室４１は第１、２、３軸受４１２、４１３、４１４に提供する。図４は、図２の駆動室の他の側を示す立体図である。下カバー部３２内側部に設けられている第２、３軸受４１３、４１４に対応している枢軸体４４には、二つの枢軸４４１，４４２が設けられている。
【０００８】
該第１ブラシ部５は、ヘッド５１を具え、該ヘッド５１には放射状に刷毛５２を設けてあり（図２）、該ヘッド５１には底部から下カバー部内側部から回転軸５３が突き抜けて結合してあり、この回転軸５３が下カバー部３２内側部を突き抜けた後、軸カバー５４、傘歯車５５及び取付部３１４と結合し、該傘歯車５５は駆動室４の第１軸受４１２の歯車と噛合う
【０００９】
図５は、本考案の第二ブラシ部６を示す分解斜視図である。該第２ブラシ部６は、円筒状のブラシ筒６１及びブラシ筒６１を挟んでいる挟持体６２から構成され、上述のブラシ筒６１は複数のブラシ体６１１からなると共にブラシ６１２の形状は放射状をなし、また、狭持体６２は上狭持部６２１及び下狭持部６２２から成ると共に上狭持部６２１及び下狭持部６２２にはブラシ６１２が貫通できる空間があり、狭持体６２の上狭持部６２１、下狭持部６２２は、ブラシ筒６１を挟んで結合され、同時に、上狭持部６２１の両端部の支持軸６２３、６２４は、第２軸受４１３及び枢軸４４１に接続し、また、第２ブラシ部６が本体カバー３の下カバー部３２内側部に接続した後、第２ブラシ部６上にブラシカバー６３を組み合わせ、このブラシカバー６３はブラシ筒６１が掃き出した塵埃を本体カバー３内部に進入するのを防止する。
【００１０】
該運搬部７は、筒軸体７１を具え、該軸体７１の両端部に第３軸受４１４及び枢軸４４２が接続し、該７１上には複数の扇状の翼７２が設けられている。
【００１１】
図６は、本考案の集塵室の示す立体図である。該集塵室８は、本体カバー３の下カバー部３２内側部、また、運搬部７の後方に位置し、同時に該集塵室上には蓋８１が設けられており、この蓋８１を閉めることによって本体カバー３の外側部表面が一体に形成されるので一般にデザイン、若しくは外観上も必要である。
集塵室８は、本体カバー３の片方、若しくはその他部位に位置することができ、例えば、柄部１と本体カバー３の接続部の下のカバー内側部に配置することもできる。
【００１２】
該電源部９は、電気を充電するのに係り、上述の本体カバー３内側部に位置し、駆動室４を動かすのに必要な電力を提供する。
【００１３】
図7は、本考案の掃除機本体断面図である。図7は、本考案の掃除機の使用に先立って柄部１を掃除機本体２を推すのに最適な長さを調整した後、ボタン３１３を押して電源スイッチ３１１を入れ、電源部９より駆動室４に通電し、駆動室４のモーター部４２を駆動し、歯車室４１内部の歯車を回転させて、歯車室４１の第１、２、３軸受は同時に駆動されて、該第１軸受４１２は傘歯車５５を駆動して第１ブラシ部５を回転させ、該第２軸受４１３は、第２ブラシ部６を回転させ、また、第３軸受４１４は運搬部７を回転させ、この時、第１ブラシ部５及び第２ブラシ部６が掃き出した塵埃は、運搬部７の翼７２まで送られ、運搬部７は塵埃を集塵室８中へ送り、集塵室８が集塵した塵埃で満杯になった時、使用者が蓋８１を開けて塵埃を捨てることができる。
上述の掃除機本体２の底部にある車輪３２１は、使用者が楽に掃除機本体２を推し動かし清掃できると同時に、掃除機本体２と柄部１の回転接続部１３を接続した後、掃除機本体２は転向が自由自在な操作ができ、使用者は楽な清掃を行うことができる。
【００１４】
図８、９は、本考案の別の実施例及びその掃除機本体の断面図である。本考案の第２ブラシ部６は更に複数の筒体１０に換えて接続することができ、各筒体１０上に面ファスナー１０１を設けることによって、使用者はこの面ファスナー上に布片１０２を貼り付け固定して、床面を拭くことができる。
【００１５】
上述の詳細な説明は、本考案の一実施例を示すものであり、本考案の範囲を限定するものでなく、本考案の技術主旨を逸脱しない範囲における同等効果の実施または変更は全て本考案に含まれる。
【図面の簡単な説明】
【００１６】
【図１】本考案の電気掃除機構造を示す外観立体図である。
【図２】本考案の掃除機本体構造を示す分解斜視図である。
【図３】図２の駆動室を示す立体図である。
【図４】図２の駆動室のもう片側を示す立体図である。
【図５】本考案の第二ブラシ部を示す分解斜視図である。
【図６】本考案の集塵室の示す立体図である。
【図７】本考案の掃除機本体を示す断面図である。
【図８】本考案の実施例の筒体を示す立体図である。
【図９】本考案の実施例の掃除機本体を示す断面図である。
【符号の説明】
【００１７】
１      柄部
１１ａ、１１ｂ、１１ｃ  複数柄体
１１ｄ  伸縮管
１２    調節部
１３    回転接続部
１４    グリップ部
２      掃除機本体
３      本体カバー
３１    上カバー部
３２    下カバー部
３１１  電源スイッチ
３１２  スプリング
３１３  ボタン
３１４      取付部
３２１  車輪
３３    バンパー
４      駆動室
４１    歯車室
４２    モーター部
４３    ベルト
４１１  ベルトリング
４１２  第１軸受
４１３  第２軸受
４１４  第３軸受
４４    枢軸体
４４１、４４２  枢軸
５      第１ブラシ部
５１    ヘッド
５２    刷毛
５３    回転軸
５４    軸カバー
５５    傘歯車
６      第２ブラシ部
６１    ブラシ筒
６２    狭持体
６１１  ブラシ体
６１２  ブラシ
６２１  上狭持部
６２２  下狭持部
６２３、６２４  支持軸
６３    ブラシカバー
７      運搬部
７１    筒軸体
７２    翼
８      集塵室
８１    蓋
９      電源部
１０    筒体
１０１  面ファスナー
１０２  布片
【図１】
0003117313.tif 000003
【図２】
0003117313.tif 000004
【図３】
0003117313.tif 000005
【図４】
0003117313.tif 000006
【図５】
0003117313.tif 000007
【図６】
0003117313.tif 000008
【図７】
0003117313.tif 000009
【図８】
0003117313.tif 000010
【図９】
0003117313.tif 000011